(57)【要約】      （修正有）【課題】メインカメラとインカメラのそれぞれに操作部材を設けた撮像装置で、使用しない操作部材をロックし、操作の混乱を防ぐ撮像装置を提供する。【解決手段】装置本体の第一の撮影手段２１と第二の撮影手段と、第一の撮影手段２１と第二の撮影手段のレリーズ動作を行うレリーズボタン１１と、第一の撮影手段２１のズーム動作を行う第一のレバー部材１２と、第二の撮影手段のズーム動作を行う第二のレバー部材１３と、第二のレバー部材１３と係合する可動部材３２を備え、可動部材３２は、第一の位置では第二の撮影手段を覆い、第二の位置では第二の撮影手段を露出させるように移動可能であり、係合部３３と第二のレバー部材１３は、可動部材３２が第一の位置では第二のレバー部材１３の回動を規制するように係合し、第二の位置では第二のレバー部材１３の回動の規制を解除することを特徴とする。【選択図】図４（ａ）
2015169922.tif 000002
【特許請求の範囲】
【請求項１】
装置本体（１）の第一の方向をむいた第一の撮影手段（２１）と
第二の方向を向いた第二の撮影手段（２２）と、
前記第一の撮影手段（２１）と前記第二の撮影手段（２２）の
レリーズ動作を行うレリーズボタン（１１）と、
前記第一の撮影手段（２１）のズーム動作を行う
回動可能な第一のレバー部材（１２）と、
前記第二の撮影手段（２２）のズーム動作を行う
回動可能な第二のレバー部材（１３）と、
前記第二のレバー部材（１３）と係合する係合部を備えた
可動部材（３０）を備え、
前記可動部材（３０）は、第一の位置と第二の位置を有し、
前記第一の位置では第二の撮影手段（２２）を覆い、
前記第二の位置では第二の撮影手段（２２）を露出させるように移動可能であり、
前記係合部（３３）と前記第二のレバー部材（１３）は、
前記可動部材（３０）が前記第一の位置では
第二のレバー部材（１３）が回動を規制するように係合し、
前記第二の位置では第二のレバー部材（１３）が回動の規制を解除する
ことを特徴とする撮像装置。
【請求項２】
前記第一のレバー部材（１２）と前記第二のレバー部材（１３）は同軸上にあることを特徴とする請求項１に記載の撮像装置。
【請求項３】
前記第一のレバー部材の操作部は、前記第一の撮影手段と同一方向に向いており、前記第二のレバー部材の操作部は、前記第二の撮影手段と同一方向に向いていることを特徴とする請求項１又は請求項２に記載の撮像装置。
【発明の詳細な説明】
【技術分野】
【０００１】
本発明は、レリーズボタンと同軸に設けられた２つの操作レバーを備えた、例えばデジタルカメラ等の撮像装置における、レバーロック構造に関するものである。
【背景技術】
【０００２】
デジタルカメラ装置には、撮影の画角を決定する為に、レンズ等のズーム動作時に使用するテレ操作とワイド操作を行うズーム操作レバーと、撮影時にフォーカス調整や画像取り込みを行う２段階スイッチのレリーズボタンが設けられている。デジタルカメラ装置の構成では、レリーズボタンは円形状になっているものが多く、ズーム操作部材はレリーズボタンと同心円軸上のレリーズボタンの外周部に備えられており、装置の前面側（撮影者と反対側）に突起を設けているものがある。これは、撮影者が撮影する際に、所望の画角を決定する際に行うズーム操作部材の回動操作と画像を取り込む際に行うレリーズボタン押圧操作を最低限の動作で切り替えられるようにするために行っている配置である。
【０００３】
また、従来のデジタルカメラ装置では、撮影者が所望の被写体に向けて撮影するメインカメラを搭載しているが、近年では、撮影者を撮影するインカメラを搭載しているものがある。このような２つのカメラを搭載していると、撮影者が撮影したい第一の被写体をメインカメラでのみを撮影して記録する場合と、撮影者側にある被写体（撮影者含む）をインカメラのみで撮影する場合が考えられる。またその他に、前記第一の被写体をメインカメラで撮影し、その時の撮影者の表情等を記録するためにインカメラで同時に撮影者自身を撮影して記録する機能を有するものもある。
【０００４】
このような２つのカメラを搭載していると、メインカメラ側のズーム操作とインカメラ側のズーム操作をそれぞれ行うことがある。インカメラでは撮影者のみを撮影するだけでなく、撮影者とならんだ複数の人を撮影する場合等多くのシチュエーションが想定されるため、インカメラには広角カメラモジュールを使用してズームインカメラでもズームを多様することもあり、メインカメラとインカメラのズームを別々に操作できることが好ましい。
【０００５】
メインカメラ側のズーム操作とインカメラ側のズーム操作を別々に操作できる為に、上述したレリーズボタン周囲に配置しているズーム操作部材を利用して別途操作切り替えボタンを配置する等して一つのズーム操作部材をメインカメラ側とインカメラ側で切り替えて行うことが考えられるが、撮影時にメインカメラ側とインカメラ側のＥＶＦ画像を同時に確認しながら各々のズーム操作を行うことがあるため、別のボタンをその都度操作して切り替えると操作が煩わしく、また、切り替えスイッチを操作する為に、指を大きく移動させしまうとデジタルカメラ装置が動いてしまい、所望の画角が変わってしまう等、不必要な動作を行ってしまうので撮影が困難になってしまう。さらに、従来必要としている操作ボタンの他にボタンが必要になるため、小型化の妨げになってしまう。
【０００６】
このような問題を回避するために、特許文献１で知られているように、レリーズボタンと同心円軸上に設けたメインカメラ側のズーム操作部材と同じく、レリーズボタンと同心円軸上に装置の背面側（撮影者側）に突起を設けてある別のレバー部材を設けるものがある。これにより、背面側に突起を設けたレバー部材でインカメラのズーム操作を行い、メインカメラ側のズーム操作とインカメラ側のズーム操作、そして、レリーズボタン押圧操作を操作性良く、最低限の動作で行えるようにすることが可能となる。
【０００７】
このため、レリーズボタンを中心に、メインカメラのある前面側でメインカメラのズーム操作を行い、インカメラのある背面側でインカメラのズーム操作を行うことが可能となり、直観的に素早くズーム操作とレリーズボタン押圧操作を行うことが可能となる。
【先行技術文献】
【特許文献】
【０００８】
【特許文献１】特開２００９−２７１３７０号公報
【発明の概要】
【発明が解決しようとする課題】
【０００９】
しかしながら、２つのカメラを搭載しているデジタルカメラにおいても、インカメラを使用せずに、従来のカメラの如くメインカメラのみで使用する場合がある。この時はインカメラ側のズーム操作部材を使用することが無い。よって、メインカメラのみを使用して撮影するモードの時に、インカメラ用ズーム操作部材を操作しても特に何も変化しないため、不要な部材となる。それだけではなく、操作することが可能にもかかわらず、何も反応をしないため、ユーザを混乱させてしまうことになる。
【課題を解決するための手段】
【００１０】
装置本体の第一の方向をむいた第一の撮影手段と第二の方向を向いた第二の撮影手段と、
前記第一の撮影手段と前記第二の撮影手段のレリーズ動作を行うレリーズボタンと、前記第一の撮影手段のズーム動作を行う回動可能な第一のレバー部材と、前記第二の撮影手段のズーム動作を行う回動可能な第二のレバー部材と、前記第二のレバー部材と係合する係合部を備えた可動部材を備え、前記可動部材は、第一の位置と第二の位置を有し、前記第一の位置では第二の撮影手段を覆い、前記第二の位置では第二の撮影手段を露出させるように移動可能であり、前記係合部と前記第二のレバー部材は、前記可動部材が前記第一の位置では第二のレバー部材が回動を規制するように係合し、前記第二の位置では第二のレバー部材が回動の規制を解除することを特徴とする撮像装置。
【発明の効果】
【００１１】
本発明によれば、メインカメラとインカメラで同時に撮影を行った時に、それぞれにズームを行う操作部材を設けた構成としても、メインカメラのみの撮影するモードにおいて、そのモードの使用状態と連動して使用しない操作部材がロックするため、不必要に操作したり、操作してしまった時に何も動作しないという混乱を防ぐことが可能となる。
【図面の簡単な説明】
【００１２】
【図１（ａ）】前面斜視図
【図１（ｂ）】背面斜視図
【図２】インカメラモード時斜視図
【図３（ａ）】ズームレバー分解図
【図３（ｂ）】待機時ズーム部裏面図
【図３（ｃ）】回転時ズーム部裏面図
【図４（ａ）】メインカメラモード時斜視図
【図４（ｂ）】インカメラモード斜視図
【発明を実施するための形態】
【００１３】
以下に、本発明の好ましい実施形態を添付の図面に基づいて詳細に説明する。
【００１４】
［実施例１］
以下、本発明の実施形態の一例を、図面を参照して説明する。
【００１５】
図１は、本発明の電子機器の実施形態の一例であるデジタルカメラを正面から見た外観斜視図である。図１（ａ）はデジタルカメラ１の前面側を示した前面斜視図、図１（ｂ）はデジタルカメラ１の背面側を示した背面斜視図である。図１（ａ）に示すように、本実施形態のデジタルカメラ１は、主に外装部材１０に覆われて形成されており、上面には操作系として、レリーズボタン１１とメイン側ズームレバー１２、イン側ズームレバー１３、そして電源ボタン１４が配置されている。レリーズボタン１１は２段スイッチとなっており、一段押しでデジタルカメラ１に搭載された不図示のオートフォーカス機構によりフォーカス調整をおこない、さらに押し込む２段階押しでシャッター動作を行う。
【００１６】
メイン側ズームレバー１２は後述するメインカメラ２１、また、イン側ズームレバー１３はインカメラ２２のズームイン、ズームアウト動作をおこなうレバースイッチである。デジタルカメラ１の起動ＯＮ、ＯＦＦは電源ボタン１４を押圧して操作を行う。
【００１７】
デジタルカメラ１の前面側にはメインカメラ２１が配置されている。メインカメラ２１は撮像センサやレンズ（不図示）を搭載したカメラユニットで、撮影者が向いているメインとなる被写体を撮影するカメラである。電源ボタン１４や、レリーズボタン１１を操作することで、メインカメラ２１が突出して撮影が可能になる。デジタルカメラ１の背面側には図１（ｂ）で示すように、ＬＣＤユニット３０、そして操作ボタン１５が配置されている。
【００１８】
ＬＣＤユニット３０はメインカメラ２１や後述するインカメラ２２で撮影しているデータ（ＥＶＦ画像）の表示を行い、デジタルカメラ１に装着したメディアカード（不図示）に記録したデータ等を表示するＬＣＤパネル３１と、そのＬＣＤパネル３１を保持しているＬＣＤ保持部材３２で構成されている。ＬＣＤパネル３１はバックライトを搭載した液晶パネルや有機ＥＬ等が好ましい。操作ボタン１５は撮影モードや再生モードの切り替えや、ＬＣＤパネル３１に表示された画像データの選択を行い、撮影時のパラメータ設定等を操作するときに押圧して使用する。
【００１９】
図２はインカメラ２２を使用して撮影する時の状態を表したインカメラモード時斜視図である。図２に示すように、本実施形態のデジタルカメラ１においては、ＬＣＤユニット３０がスライドする構成となっている。ＬＣＤユニット３０はインカメラ２２を覆うように構成されており、インカメラモード使用時に、ＬＣＤユニット３０をスライドしてインカメラ２２を露出させる。ＬＣＤユニット３０をスライドさせて撮影する際は、インカメラモードとなり、また、図１（ｂ）のようにＬＣＤユニット３０をスライドさせないで撮影する時は、メインカメラモードとなる。インカメラモードでは、メインカメラ２１とインカメラ２２の両方を使用して、同時に撮影することが可能となる。
【００２０】
また、メインカメラモードでは、メインカメラ２１のみを使用して撮影を行う。ＬＣＤユニット３０の縁にはイン側ズームレバー１３と係合するズーム係合リブ３３が備えられている。
【００２１】
次に本実施形態のズームレバー周辺構造を図３（ａ）のズームレバー分解図を用いて説明する。
【００２２】
メイン側ズームレバー１２はデジタルカメラ１内部に配置されているベース部材１６に取り付けられている。メイン側ズームレバー１２には部品を保持する為にカシメを行う突起部である、突起部１２ａが複数備わっている。ベース部材１６にメイン側ズームレバー１２を取り付けると突起部１２ａはベース部材１６の上面側に設けられているベース開口１６ａを貫通して設置される。ベース部材１６の下面側には、イン側ズームレバー１３とホルダ部材１７が備えられている。ベース部材１６には摺動リブ１６ｂが設けられており、ベース部材１６の上面側で回動するメイン側ズームレバー１２、下面側でイン側ズームレバー１３に当接している。
【００２３】
イン側ズームレバー１３とホルダ部材１７にもメイン側ズームレバー１２の突起部１２ａを貫通するイン側レバー開口１３ａとホルダ開口１７ａが設けられており、組み込み時、突起部１２ａは３部品が入り込んでいる状態になる。また、突起部１２ａはホルダ開口１７ａを貫通してホルダ部材１７から突き出して取り付けられており、組み立て時、突き出した部分を熱溶着することで、メイン側ズームレバー１２はホルダ部材１７に結合される。上述したように、メイン側ズームレバー１２とホルダ部材１７の間にはベース部材１６とイン側ズームレバー１３が挟み込まれているため、熱溶着後は所定の位置に回動自在に保持されている。メイン側ズームレバー１２の上部にはレリーズボタン１１が係合される。
【００２４】
また、メイン側ズームレバー１２とレリーズボタン１１の間にはボタンスプリング１８ａが備えられており、レリーズボタン１１とメイン側ズームレバー１２が離間する方向に付勢されているため、レリーズボタン１１を押圧しても所定の位置に保つように付勢される。
【００２５】
レリーズボタン１１は後述するデジタルカメラ１内部に備えられている操作系基板４０に備えられているレリーズスイッチ４１の部品中央を押圧するように押し子（不図示）がもうけられており、レリーズボタン１１を押圧するとレリーズスイッチ４１を押圧してデジタルカメラ１のオートフォーカス操作、シャッター操作が可能になる。メイン側ズームレバー１２、イン側ズームレバー１３、そして、ホルダ部材１７はレリーズボタン１１の中心軸と同軸上に回転可能な構成をしている。
【００２６】
イン側ズームレバー１３とホルダ部材１７はレバースプリング１８ｂで待機位置になるよう付勢されている。レバースプリング１８ｂはベース部材１６に取り付けられており、ベース部材１６に締めつけられているネジ１９によりベース部材から脱落しないような構成となっている。ホルダ部材１７はメイン側ズームレバー１２と直接熱溶着が行われているため、ホルダ部材１７を回転操作すると対になってメイン側ズームレバー１２が回転動作を行う。
【００２７】
また、イン側ズームレバー１３はメイン側ズームレバー１２とホルダ部材１７により挟持されているため、レリーズボタン１１の押圧方向には保持されているが、メイン側ズームレバー１２の突起部１２ａがイン側ズームレバー１３のイン側レバー開口１３ａに貫通をしている。さらに、イン側レバー開口１３ａはメイン側ズームレバー１２が待機位置、または、ズーム動作を行うために回動させる際に、突起部１２ａがイン側レバー開口１３ａに当接しないように開口されており、メイン側ズームレバー１２を回動させた際に、イン側ズームレバー１３が動くことは無い。
【００２８】
故に、メイン側ズームレバー１２とイン側ズームレバー１３は独立して回動することが可能な構成となっている。ズームレバー構成を裏面から示した、図３（ｂ）の待機時ズーム部裏面図と図３（ｃ）の回転時ズーム部裏面図で示すように、メイン側ズームレバー１２と連動して回動するホルダ部材１７には係止リブ１７ｃ、イン側ズームレバー１３には係止リブ１３ｄが備わっている。ズームレバーが図１と図２の状態において、係止リブ１７ｃと係止リブ１３ｄは投影上同じ位置に配置されており、ベース部材１６に備えられている係止溝１６ｃにより所定のクリアランスを保って配置されている。
【００２９】
例えばメイン側ズームレバー１２を回動させると、連動してホルダ部材１７も回動し、図３（ｃ）で示すように、係止リブ１７ｃは係止溝１７ｃから離れ、ベース部材１６の側壁である摺動壁１６ｄと当接しながら回動する。
【００３０】
図１や図２に図示されている状態はメイン側ズームレバー１２とイン側ズームレバー１３の位置が待機位置となっており、無負荷の状態である。メイン側ズームレバー１２とイン側ズームレバー１３が待機位置の状態であると、メインカメラ２１とインカメラ２２はズーム動作を行わない。メイン側ズームレバー１２とイン側ズームレバー１３は撮影者により回動された場合は、レバースプリング１８ｂにより、付勢されているため、回動後は付勢位置に戻される。
【００３１】
レバースプリング１８ｂの付勢力は、係止リブ１７ｃと係止リブ１３ｄが摺動壁１６ｄと当接した際の摩擦力よりも大きい値となっている。これにより、片方のズームレバーを回動させた際に他方のズームレバーはベース部材１６の係止溝１７ｃ内に収まった状態を保持し、誤作動を起こすことがない。
【００３２】
デジタルカメラ１内には、操作系スイッチ等が実装された操作系基板４０が備えられている。操作系基板４０は二段階検知可能なレリーズスイッチ４１や、メインカメラ側のズームを行う、ディテクタ型検知スイッチのメインズームスイッチ４２、インカメラ側のズームを行う、ディテクタ型検知スイッチのイン側ズームスイッチ４３や、他にもデジタルカメラ１の電源をＯＮ、ＯＦＦを行う不図示の電源スイッチやＬＣＤパネル３１上で確認しながら選択等を行う不図示の操作スイッチが実装されている。ディテクタ型スイッチは２方向検知を行うスイッチとなっている。
【００３３】
メイン側ズームレバー１２と共に回動するホルダ部材１７にはメインズームスイッチ４２と当接するホルダスイッチ当接部１７ｂが備えられている。メイン側ズームレバー１２を回動すると、ホルダ部材１７が同時に回動し、ホルダスイッチ当接部１７ｂがメインズームスイッチ４２に当接して傾倒し検知する。メイン側ズームレバー１２を時計回りか反時計回りかのどちらかに回動することで、ホルダスイッチ当接部１７ｂがメインズームスイッチ４２に当接する箇所が異なり、２方向検知のうち、一方側を検知するとメインカメラ２１のズームをＴＥＬＥ側にし、他方向を検知するとＷＩＤＥ側にズームする。
【００３４】
イン側ズームレバー１３にはインズームスイッチ４３と当接するイン側レバースイッチ当接部１３ｂが備えられている。メインズームスイッチ４２の当接と同様に、イン側ズームレバー１３を撮影者が回動すると、イン側ズームレバースイッチ当接部１３ｂがインズームスイッチ４３と当接し、回動方向によって、インカメラ２２のズームをＴＥＬＥ側はＷＩＤＥ側にズームを行う。
【００３５】
次に、メインカメラモード時のイン側ズームレバー１３のロック機構について説明する。図４（ａ）はメインカメラモード時斜視図であり、図４（ｂ）はインカメラモード斜視図である。
【００３６】
上述したように、本実施形態におけるデジタルカメラ１では、メインカメラ２１のみで撮影を行うメインカメラモードとメインカメラ２１とインカメラ２２を併用して撮影を行うインカメラモードで撮影を行うことが可能である。メインカメラモードでは、図４（ａ）で示すような位置にＬＣＤが配置されている。メインカメラモードでは、メインカメラのみで撮影を行う。この状態では、インカメラ２２はＬＣＤユニット３０に覆われており、インカメラ２２を使用しない。ＬＣＤパネルが図４（ａ）に示す位置にある時は、イン側ズームレバー１３の係合部１３ｃはＬＣＤパネル３０のＬＣＤ保持部材３２に設けられている２つのズーム係合リブ３３と係合している状態である。
【００３７】
係合部１３ｃが２つのズーム係合リブ３３で挟まれていることで、イン側ズームレバー１３は回動出来ないロック状態となる。メインカメラモードで撮影を行う際、メイン側カメラ２１のみ使用するため、言うまでもなくメイン側ズームレバー１２のみ使用してズーム操作を行うため、イン側ズームレバー１３は使用しない。このため、イン側ズームレバー１３をロックしていると使用しないことが明確であるため、撮影者が不用意にイン側ズームレバー１３の操作を行い、混乱することがない。
【００３８】
インカメラモードを使用する際は、図４（ｂ）で示すように、ＬＣＤユニット３０をデジタルカメラ１の下部へスライドする。ＬＣＤユニット３０をスライドすると、ＬＣＤユニット３０に覆われていたインカメラ２２が露出し、インカメラ２２で撮影を行うことが可能となる。この時、ＬＣＤパネル３０のＬＣＤ保持部材３２もスライドしているため、ズーム係合リブ３３がイン側ズームレバー１３の係合部１３ｃから離間する。このため、イン側ズームレバー１３のロックが解除されるため、イン側ズームレバー１３の回動が可能となる。
【００３９】
本実施形態では、インカメラモードで撮影を行う際は必ずＬＣＤユニット３０をスライドしなければならず、イン側ズームレバー１３のロック、ロック解除をスライドするＬＣＤユニット３０を構成しているＬＣＤ保持部材３２の一部に備えているため、インカメラ２２を使用しない時は必ずイン側ズームレバー１３を使用しない構成としている。
【００４０】
本実施形態は、イン側ズームレバー１３のロックを行う係合部材をＬＣＤユニットに３０に備えられている、ＬＣＤ保持部材３２の一部であるズーム係合リブ３３で行っているが、この限りではなく、ＬＣＤ保持部材３２の一部を切り欠き、該切り欠き部にイン側ズームレバー１３の一部、例えば係合部１３ｃを嵌合させてロックを行う等、インカメラ使用時に退避するＬＣＤユニット３０とイン側ズームレバー１３とでロックを形成させればよい。また、メインカメラモード時はインカメラ２２を覆い、使用時に退避させる部材としてＬＣＤユニット３０を用いているが、この限りでなく、ＬＣＤパネル３１は備えていない、インカメラ２２を保護するだけで、インカメラモード時にはインカメラ２２を露出し、メインカメラモードの時はインカメラ２２を保護する保護部材でもよい。
【符号の説明】
【００４１】
１      ・・・  デジタルカメラ
１１    ・・・  レリーズボタン
１２    ・・・  メイン側ズームレバー
１３    ・・・  イン側ズームレバー
１３ｃ  ・・・  係合部
２１    ・・・  メインカメラ
２２    ・・・  インカメラ
３０    ・・・  ＬＣＤユニット
３２    ・・・  ＬＣＤ保持部材
３３    ・・・  ズーム係合リブ
【図１（ａ）】
2015169922.tif 000003
【図１（ｂ）】
2015169922.tif 000004
【図２】
2015169922.tif 000005
【図３（ａ）】
2015169922.tif 000006
【図３（ｂ）】
2015169922.tif 000007
【図３（ｃ）】
2015169922.tif 000008
【図４（ａ）】
2015169922.tif 000009
【図４（ｂ）】
2015169922.tif 000010